(57)【要約】【課題】実際の手乾燥装置の性能上可能である乾燥時間を越えて使用者が機器を駆動し続けることが多く、乾燥後の駆動電力は実際には過剰な電力であり、この過剰な電力を低減することができる手乾燥装置を提供することを目的としている。【解決手段】ブロアモーター５が起動後一定時間経過後、ノズル可動モーター６を停止することによって、使用者に手の乾燥の完了した旨を訴えることで、乾燥後の無駄な運転時間を減らすことで、運転する消費電力の低減し使用時のトータル電力を減らすことができる手乾燥装置が得られる。【選択図】図１
2011200277.tif 000002
【特許請求の範囲】
【請求項１】
装置の外郭を成す本体と、この箱体に設けられて前記箱体の上部に開口した手乾燥室と、前記箱体に設けられて高圧気流を発生する高圧気流発生装置と、前記手乾燥室の互いに対向した２面にそれぞれ配置されて前記高圧気流発生装置の送気路に連通したノズルと、前記手乾燥室に設けられて手乾燥室への手の挿入を検出する手検出手段と、前記ノズルを複数間隔をおいて配列し前記ノズルを往復可動させるノズル可動手段と、前記ノズル可動手段を可動させるノズル可動モーターと、前記高圧気流発生装置および前記ノズル可動モーターを制御する制御装置と、高圧気流発生装置起動後からの起動時間を計測する第一の時間計測手段を備えた手乾燥装置であって、前記第一の時間計測手段が所定時間を経過した後にノズル可動モーターを停止することを特徴とする手乾燥装置。
【請求項２】
前記ノズル可動モーター停止後に高圧気流発生装置を停止することを特徴とする請求項１に記載の手乾燥装置。
【請求項３】
前記ズル可動モーター停止後からの停止時間を計測する第二の時間計測手段を設け、前記第二の時間計測手段が所定時間を経過した後に高圧気流発生装置を停止することを特徴とする請求項２に記載の手乾燥装置。
【請求項４】
機器の運転間隔を計測する第三の時間計測手段を設け、運転間隔によって前記高圧気流発生装置を駆動させてから前記ノズル可動モーター停止するまでの時間を可変することを特徴とした請求項１〜３のいずれか一つに記載の手乾燥装置。
【請求項５】
前記手乾燥室に侵入する手の温度を測定可能な手温度検知手段を備え、侵入する手の温度によって前記高圧気流発生装置を駆動させてから前記ノズル可動モーターが停止するまでの時間を可変することを特徴とした請求項１〜３のいずれか一つに記載の手乾燥装置。
【請求項６】
乾燥中の手の温度の変化によって前記高圧気流発生装置を駆動させてから前記ノズル可動モーターが停止するまでの時間を可変することを特徴とした請求項５に記載の手乾燥装置。
【請求項７】
前記本体に、本体周囲の温度を検知する周囲温度検知手段を備え、周囲温度によって前記高圧気流発生装置を駆動させてから前記ノズル可動モーターが停止するまでの時間を可変することを特徴とした請求項１〜３のいずれか一つに記載の手乾燥装置。
【請求項８】
前記本体に使用者に乾燥完了したことを促す表示手段を備え、ノズル可動モーターを停止する直前、もしくは同時に表示を行うことを特徴とした請求項１〜７のいずれか一つに記載の手乾燥装置。
【発明の詳細な説明】
【技術分野】
【０００１】
本発明は、洗面所やトイレ等で手を洗い、濡れた手を乾燥させる手乾燥装置に関する。
【背景技術】
【０００２】
従来の手乾燥装置は、乾燥室に手を入れたことを検知して。高圧空気発生部から高圧空気を送風して、手の乾燥を行なっていた。そして、使用者が、手が乾燥したことを認識して、乾燥室から手を抜き出すことで、高圧発生部の運転を停止していた（例えば、特許文献１参照）。
【０００３】
以下、その構成を図１１を用いて説明する。箱体１０１の正面１０２及び側面を開口して挿通自在に設けられた手挿入部１０３の上下面部に各々配設された吹出ノズル１０４に、高圧空気発生部１０５によって高圧空気を送るとともに、前記手挿入部１０３に配設された入口センサーで前記手挿入部１０３への手挿入状態を検出して、箱体１０１の上部正面に配設された表示部１０６に、所定の時間間隔で点灯または点滅する発光素子を用いて操作手順案内を発光表示したものである。そして、手が手挿入部１０３から抜き出されたことを検出すると高圧空気発生部１０５を停止するものであった。
【先行技術文献】
【特許文献】
【０００４】
【特許文献１】特開平６−６２９８１号公報
【発明の概要】
【発明が解決しようとする課題】
【０００５】
このような従来の手乾燥装置では、機器を起動後、既に手が乾いている状態でも使用を継続されることがあり、既に手が乾いている状態にはノズルの駆動による効果が少ないにも関わらず駆動していることで、騒音が大きい、または無駄な電力を消費してしまうという課題があった。
【０００６】
本発明は、上記従来の課題を解決するのもで、使用者の乾燥感を満足させながら、騒音を抑え、乾燥運転時の電力消費の低減をすることができる手乾燥装置を提供することを目的とする。
【課題を解決するための手段】
【０００７】
本発明の手検知乾燥装置は上記目的を達成するために、装置の外郭を成す本体と、この箱体に設けられて前記箱体の上部に開口した手乾燥室と、前記箱体に設けられて高圧気流を発生する高圧気流発生装置と、前記手乾燥室の互いに対向した２面にそれぞれ配置されて前記高圧気流発生装置の送気路に連通したノズルと、前記手乾燥室に設けられて手乾燥室への手の挿入を検出する手検出手段と、前記ノズルを複数間隔をおいて配列し前記ノズルを往復可動させるノズル可動手段と、前記ノズル可動手段を可動させるノズル可動モーターと、前記高圧気流発生装置および前記ノズル可動モーターを制御する制御装置と、高圧気流発生装置起動後からの起動時間を計測する第一の時間計測手段を備えた手乾燥装置であって、前記第一の時間計測手段が所定時間を経過した後にノズル可動モーターを停止させるものであり、所期の目的を達成するものである。
【発明の効果】
【０００８】
本発明によれば、装置の外郭を成す本体と、この箱体に設けられて前記箱体の上部に開口した手乾燥室と、前記箱体に設けられて高圧気流を発生する高圧気流発生装置と、前記手乾燥室の互いに対向した２面にそれぞれ配置されて前記高圧気流発生装置の送気路に連通したノズルと、前記手乾燥室に設けられて手乾燥室への手の挿入を検出する手検出手段と、前記ノズルを複数間隔をおいて配列し前記ノズルを往復可動させるノズル可動手段と、前記ノズル可動手段を可動させるノズル可動モーターと、前記高圧気流発生装置および前記ノズル可動モーターを制御する制御装置と、高圧気流発生装置起動後からの起動時間を計測する第一の時間計測手段を備えた手乾燥装置であって、前記第一の時間計測手段が所定時間を経過した後にノズル可動モーターを停止させるものであり、乾燥終了後の騒音を下げると共に、機器の使用にかかるトータル電力を下げて省電力で使用ができるという効果を奏する。
【図面の簡単な説明】
【０００９】
【図１】本発明の実施の形態１の手乾燥装置の構成を示す断面斜視図
【図２】同制御装置の動作を示すフローチャート
【図３】同制御装置の動作を示すフローチャート
【図４】本発明の実施の形態２の動作を示すフローチャート
【図５】本発明の実施の形態３の動作を示すフローチャート
【図６】本発明の実施の形態４の手乾燥装置の構成を示す断面斜視図
【図７】同制御装置の動作を示すフローチャート
【図８】本発明の実施の形態５の手乾燥装置の構成を示す断面斜視図
【図９】同制御装置の動作を示すフローチャート
【図１０】本発明の実施の形態６の手乾燥装置の構成を示す断面斜視図
【図１１】従来の手乾燥装置の構成を示す詳細斜視図
【発明を実施するための形態】
【００１０】
本発明の請求項１の発明は、装置の外郭を成す本体と、この箱体に設けられて前記箱体の上部に開口した手乾燥室と、前記箱体に設けられて高圧気流を発生する高圧気流発生装置と、前記手乾燥室の互いに対向した２面にそれぞれ配置されて前記高圧気流発生装置の送気路に連通したノズルと、前記手乾燥室に設けられて手乾燥室への手の挿入を検出する手検出手段と、前記ノズルを複数間隔をおいて配列し前記ノズルを往復可動させるノズル可動手段と、前記ノズル可動手段を可動させるノズル可動モーターと、前記高圧気流発生装置および前記ノズル可動モーターを制御する制御装置と、高圧気流発生装置起動後からの起動時間を計測する第一の時間計測手段を備えた手乾燥装置であって、前記第一の時間計測手段が所定時間を経過した後にノズル可動モーターを停止することを特徴とする。
【００１１】
これにより、既に手が乾燥終了後のノズル可動モーターを停止することで、乾燥終了後の騒音を下げると共に、機器の使用にかかるトータル電力を下げて省電力で使用ができる。
【００１２】
本発明の請求項２の発明は、前記ノズル可動モーター停止後に高圧気流発生装置を停止することを特徴とする。
【００１３】
これにより、ノズル可動モーター単独で動作することがなくなり、乾燥終了後のノズル騒音が際立つことを避けることができる。
【００１４】
発明の請求項３の発明は、前記ノズル可動モーター停止後からの停止時間を計測する第二の時間計測手段を設け、前記第二の時間計測手段が所定時間を経過した後に高圧気流発生装置を停止することを特徴とする。
【００１５】
これにより、確実にノズル可動モーターが停止してから高圧気流発生装置を停止することができ、乾燥終了後のノズル騒音が際立つことを避けることができる。
【００１６】
本発明の請求項４の発明は、機器の運転間隔を計測する第三の時間計測手段を設け、運転間隔によって前記高圧気流発生装置を駆動させてから前記ノズル可動モーター停止するまでの時間を可変することを特徴する。
【００１７】
これにより、第一の時間計測手段の時間を運転間隔によって変更することができ、乾燥終了までの時間の誤差を少なく決めることができる。
【００１８】
本発明の請求項５の発明は、前記手乾燥室に侵入する手の温度を測定可能な手温度検知手段を備え、侵入する手の温度によって前記高圧気流発生装置を駆動させてから前記ノズル可動モーターが停止するまでの時間を可変することを特徴とする。
【００１９】
これにより、第一の時間計測手段の時間を侵入する手の温度によって変更することができ、乾燥終了までの時間の誤差を少なく決めることができる。
【００２０】
本発明の請求項６の発明は、乾燥中の手の温度の変化によって前記高圧気流発生装置を駆動させてから前記ノズル可動モーターが停止するまでの時間を可変することを特徴とする。
【００２１】
これにより、第一の時間計測手段の時間を手の温度の変化によって決定することができ、乾燥終了までの時間の誤差を少なく決めることができる。
【００２２】
本発明の請求項７の発明は、前記本体に、本体周囲の温度を検知する周囲温度検知手段を備え、周囲温度によって前記高圧気流発生装置を駆動させてから前記ノズル可動モーターが停止するまでの時間を可変することを特徴とする。
【００２３】
これにより、第一の時間計測手段の時間を周囲の温度によって変更することができ、乾燥終了までの時間の誤差を少なく決めることができる。
【００２４】
本発明の請求項８の発明は、前記本体に使用者に乾燥完了したことを促す表示手段を備え、ノズル可動モーターを停止する直前、もしくは同時に表示を行うことを特徴とする。
【００２５】
これにより、乾燥時間経過後にノズルが停止したときに、使用者が乾燥終了したことが分かり、使用者が機器の誤動作と勘違いすることを防ぐことができる。
【００２６】
以下、本発明の実施の形態について図面を参照しながら説明する。
【００２７】
（実施の形態１）
図１、図２に示すように、装置の外郭を成す本体１と、手を挿入できる空間を有する手乾燥室２と、手乾燥室２の壁面に手を挿入する方向に対して直行方向に複数配列して備えられ、挿入された手に当てるための噴流を発生させるノズル３と、ノズル３に高圧空気を案内する吹出ダクト４と、吹出ダクト４に高圧空気を送風する高圧気流発生装置としてのブロアモーター５と、ノズル３を複数間隔をおいて配列し前記ノズルを往復可動させるノズル可動モーター６と、手乾燥室２に手が侵入したことを検知する検知手段としての赤外線センサー７と、赤外線センサー７からの検知信号を元に、ブロアモーター５およびノズル可動モーター６の動作を制御する制御手段としてのマイコン８と、ブロアモーター５が起動後から起動時間を計測する第一の時間計測手段９を備え、マイコン８で、ブロアモーター５を駆動させてから第一の時間計測手段９が所定の時間をカウントした後にノズル可動モーター６を停止することができる構成とする。
【００２８】
上記構成において、手乾燥室２に使用者が手を入れることで赤外線センサー７は手が手乾燥室２内に侵入されたことを検知し、マイコン８へ信号を送る。マイコン８は手が手乾燥室２内に侵入したことを確認後、ブロアモーター５およびノズル可動モーター６を駆動し、吹出ダクト４からノズル３へ風を送り、手乾燥室２内に挿入した手に向けて高速風を当てることで手に付着した水分を除去し、乾燥させる。（Ｓ１−Ｓ３）。
【００２９】
手に付着した水分を除去するのに必要な時間は、ノズルから出る風の速度や手への高速風の当て方によって大よそ決まる。ところが仕上がり感は個人個人によってことなるため、手に付いた水分が除去されても手乾燥室２内に手を入れ続けて運転を継続してしまうケースが多く、水分の除去後の運転による消費電力が過剰に消費されてしまう。そのため、マイコン８がブロアモーター５が駆動してから第一の時間計測手段９が乾燥時間をカウントし、カウント終了後にノズル可動モーター６を停止する信号を出して、乾燥が完了した旨を使用者に促すことで、手に付いた水分が除去されてから乾燥の仕上げに要する間の過剰な消費電力を低減することができる。（Ｓ４−Ｓ５）。
【００３０】
例えば、強運転で運転すると水分を除去するまでの乾燥時間が３〜５秒に設定されている機器において、ブロアモーター５が強運転で駆動後５秒後には水分は除去されている。マイコン８がブロアモーター５の駆動を開始してから第一の時間計測手段９がカウントを開始する。第一の時間計測手段９が５秒間のカウントを終了すると、マイコン８からノズル可動モーター６を停止する信号を出して、ノズル可動モーター６は停止する。ノズル可動モーター６が停止することで使用者に乾燥終了を促すことができる。
【００３１】
なお本実施の形態では、高圧気流発生装置としてブロアモーター、検知手段として赤外線センサー、制御手段としてマイコンを用いたが、同様の作用効果が得られるものであればこれに限るものではない。
【００３２】
また、乾燥時間として３〜５秒、ノズル可動モーター６を停止するまでの時間を５秒、としたが、同様の作用効果が得られるものであればこれに限るものではない。
【００３３】
また、マイコン８は、ブロアモーター５が駆動してから第一の時間計測手段９が乾燥時間をカウントし、カウント終了後にノズル可動モーター６を停止する信号を出して、乾燥が完了した旨を使用者に促す。しかし、使用者は乾燥が完了したことを認識できずに手乾燥室２に手を入れ続けることがあり、赤外線センサー７からの検知信号を元にブロアモーター５が動き続けて、乾燥をし続けるケースがある。そのため、図３に示すように、第一の時間計測手段９が乾燥時間をカウントし、カウント終了後にノズル可動モーター６を停止する信号を出し後に、ブロアモーター５を停止する。これによって、手に付いた水分が除去されてから乾燥の仕上げに要する間の過剰な消費電力を低減することができる。（Ｓ１１−Ｓ１２）。
【００３４】
例えば、強運転で運転すると水分を除去するまでの乾燥時間が３〜５秒に設定されている機器において、ブロアモーター５が強運転で駆動後５秒後には水分は除去されている。マイコン８がブロアモーター５の駆動を開始してから第一の時間計測手段９がカウントを開始する。第一の時間計測手段９が５秒間のカウントを終了すると、マイコン８からノズル可動モーター６を停止する信号を出して、ノズル可動モーター６は停止する。その後、続いてブロアモーター５が停止することで手に付いた水分が除去されてから乾燥の仕上げに要する間の過剰な消費電力を低減することができる。
【００３５】
（実施の形態２）
次に、本発明の実施の形態２について図面を参照しながら説明する。なお、実施の形態１と同一のものは同一番号を付し、その詳細な説明を省略する。
【００３６】
すなわち、図４に示すように実施に形態１に対して、ノズル可動モーター６停止後に停止時間を計測する第二の時間計測手段１０で構成する。
【００３７】
マイコン８がブロアモーター５を駆動してから第一の時間計測手段９が乾燥時間をカウントし、カウント終了後にノズル可動モーター６を停止する信号を出して乾燥が完了した旨を使用者に促した後にも、乾燥が完了したことを認識できずに乾燥をし続けるケースがある。また、第一の時間計測手段９が経過した後でも、使用者によっては５秒で手に付いた水滴を十分に除去することができないケースがまれにある。
【００３８】
そのため、マイコン８がブロアモーター５を駆動してから第一の時間計測手段９が乾燥時間をカウントし、カウント終了後にノズル可動モーター６を停止する信号を出した後、第二の時間計測手段１０がカウントを開始して、カウントが終了後にブロアモーター５を停止する。これによって、手に付いた水分が除去されてから乾燥の仕上げに要する間の過剰な消費電力を低減することができると共に、第一の時間計測手段９がカウントを終了した後に手の乾燥が不十分であるとした時にも引き続き第二の時間計測手段１０がカウントしている間は乾燥することができる。（Ｓ１５−Ｓ２０）。
【００３９】
例えば、強運転で運転すると水分を除去するまでの乾燥時間が３〜５秒に設定されている機器において、ブロアモーター５が駆動後５秒後には水分は除去されている。マイコン８がブロアモーター５の駆動を開始してから第一の時間計測手段９がカウントを開始する。第一の時間計測手段９が５秒間のカウントを終了すると、マイコン８からノズル可動モーター６を停止する信号を出して、ノズル可動モーター６は停止する。その後第二の時間計測手段１０がカウントを開始し、５秒間のカウントを終了すると、ブロアモーター５が停止することで手に付いた水分が除去されてから乾燥の仕上げに要する間の過剰な消費電力を低減することができる。
【００４０】
これにより、ブロアモーター５は１回目のカウントが終了後にすぐに停止することはなく２回目のカウントの間は乾燥ができる状態を維持し、手の乾燥の仕上がり感の差を加味した乾燥運転をすることができる。
【００４１】
なお本実施の形態では、第２の時間計測手段がカウントする時間を５秒としたが、仕上げ乾燥に要する時間によって決まる数値であり、同様の作用効果が得られるものであればこれに限るものではない。
【００４２】
（実施の形態３）
次に、本発明の実施の形態３について図面を参照しながら説明する。なお、実施の形態１と同一のものは同一番号を付し、その詳細な説明を省略する。
【００４３】
すなわち、図５に示すように実施に形態１に対して、機器の運転間隔を計測する第三の時間計測手段１１で構成する。
【００４４】
上記構成において、前回ブロアモーター５が停止してから再びブロアモーター５が駆動を開始するまでの時間を第三の時間計測手段１１がカウントをする。カウントした値がある一定の数値以下である場合、ブロアモーター５自身の温度が高くなっているため、ノズル３から吹出す高圧風の温度は高くなる。そのため手の乾燥時間は短くなるため、第三の時間計測手段１１がカウントした値が一定の数値より大きい場合にくらべて乾燥時間を短くすることができる。
【００４５】
例えば、強運転で運転すると水分を除去するまでの乾燥時間が３〜５秒に設定されている機器において、ブロアモーター５が強運転で駆動後５秒後には水分は除去されている。しかし、ブロアモーター５が停止後にノズル３から吹出す高圧風の温度が通常より高い温度を維持できる時間を３秒としたとき、第三の時間計測手段１１でカウントした数値が    ３秒以下であった場合は、マイコン８はブロアモーター５の駆動を開始してから第一の時間計測手段９がカウント終了するまでの時間を１秒短くして４秒とし、第一の時間計測手段９が４秒間のカウントを終了すると、マイコン８からノズル可動モーター６を停止する信号を出して、ノズル可動モーター６は停止する。それによって、ノズル３から吹出す高圧風の温度が高いケースで乾燥時間が短くなる場合において、より手に付いた水分が除去されてから乾燥の仕上げに要する間の過剰な消費電力を低減することができる。
【００４６】
なお本実施の形態では、ノズル３から吹出す高圧風の温度が通常より高い温度を維持する時間を３秒、第一の時間計測手段の短縮時間を１秒としたが、同様の作用効果が得られるものであればこれに限るものではない。
【００４７】
（実施の形態４）
次に、本発明の実施の形態４について図面を参照しながら説明する。なお、実施の形態１と同一のものは同一番号を付し、その詳細な説明を省略する。
【００４８】
図６に示すように、実施の形態１に対してさらに、手乾燥室２に侵入した手の温度を検知するための手温度検知手段としてのサーモパイル１２を構成する。
【００４９】
上記構成において、図７に示すように、手乾燥室２に使用者が手を入れることで赤外線センサー７は手が手乾燥室２内に侵入されたことを検知し、マイコン８へ信号を送る。マイコン８は手が手乾燥室２内に侵入したことを確認後、ノズル可動モーター６を駆動することで、吹出ダクト４からノズル３へ風を送り、手乾燥室２内に侵入した手に向けて高速風を当てることで手に付着した水分を除去し、乾燥させる。
【００５０】
ノズル可動モーター６の起動後、第一の時間計測手段によってカウントを始め、乾燥終了後にノズル可動モーター６を停止するが、乾燥時間は手に付着した水の温度によって差異がでることがある。そのため、乾燥開始直前、もしくは同時にサーモパイル１２によって検知した温度によって、ノズル可動モーター６を停止するまでの時間を可変する。
【００５１】
例えば、手に付着した水滴の温度により水滴の状況にかかる時間に差が出る境界温度を３６℃とすると、運転開始直前、または開始と同時のときの温度が３６℃以下の場合は、ノズル可動モーター６を停止にするまでの時間を従来どおり５秒とするが、３６℃より高い場合は乾燥時間が短くて済むため、ノズル可動モーター６を停止するまでの時間を４秒とすることで、駆動時間を短縮し、手に付いた水滴を除去した後の過剰な消費電力を低減することができる。
【００５２】
また、乾燥開始後の手のサーモパイル１２の温度は乾燥が完了することで温度が高くなる。そのため、乾燥前の温度と乾燥後の温度差を検知することで、手に水滴が付着しているが否かを検出することができる。例えば、手を乾燥することで０．５℃の温度上昇するとき、ブロアモーター５を駆動直前の手の温度が３５℃の場合、サーモパイル１２の検知温度が３５．５℃以上となったとき、手が乾燥したと判断し、その後ノズル可動モーター６を停止するように信号を送ることで、手に付いた水滴を除去した後の消費電力を低減することができる。
【００５３】
なお本実施の形態では、手温度検知手段としてのサーモパイル、乾燥時間として３〜５秒、強運転から弱運転への切り替わり時間が５秒、手に付着した温度による乾燥時間の際が出る境界温度を３６℃、手が乾燥することによる温度上昇を０．５℃としたが、同様の作用効果が得られるものであればこれに限るものではない。
【００５４】
（実施の形態５）
次に、本発明の実施の形態５について図面を参照しながら説明する。なお、実施の形態１と同一のものは同一番号を付し、その詳細な説明を省略する。
【００５５】
図８に示すように、実施の形態１に対してさらに、本体１の周囲の温度を検知するための周囲温度検知手段としてのサーミスタ１３を構成する。
【００５６】
上記構成において、図９に示すように、手乾燥室２に使用者が手を入れることで赤外線センサー７は手が手乾燥室２内に侵入されたことを検知し、マイコン８へ信号を送る。マイコン８は手が手乾燥室２内に侵入したことを確認後、ブロアモーター５を駆動することで、吹出ダクト４からノズル３へ風を送り、手乾燥室２内に侵入した手に向けて高速風を当てることで手に付着した水分を除去し、乾燥させる。
【００５７】
ブロアモーター５駆動後、第一の時間計測手段９によってカウントを始め、乾燥終了後にノズル可動モーター６を停止するが、乾燥時間は本体１の周囲温度によって差異がでることがある。そのため、乾燥開始直前、もしくは同時にサーミスタ１３によって検知した温度によって、ノズル可動モーター６を停止するまでの時間を可変する。
【００５８】
例えば、周囲温度による乾燥時間の際が出る境界温度を２５℃とすると、運転開始直前、または開始と同時のときの温度が２５℃以下の場合は、ブロアモーター５を弱運転にするまでの時間を従来どおり５秒とするが、２５℃より高い場合は乾燥時間が短くて済むため、ノズル可動モーター６を停止するまでの時間を４秒とすることで、駆動時間を短縮し、手に付いた水滴を除去した後の過剰な消費電力を低減することができる。
【００５９】
なお本実施の形態では、周囲温度検知手段としてのサーミスタ、乾燥時間として３〜５秒、ノズル可動モーター６を停止するまでの時間が５秒、周囲温度による乾燥時間の際が出る境界温度を２５℃としたが、同様の作用効果が得られるものであればこれに限るものではない。
【００６０】
（実施の形態６）
次に、本発明の実施の形態６について図面を参照しながら説明する。なお、実施の形態１と同一のものは同一番号を付し、その詳細な説明を省略する。
【００６１】
図１０に示すように、実施の形態１に対してさらに、使用者に手に付着した水滴を除去したことをお知らせするための表示手段としてのＬＥＤ１４を構成する。
【００６２】
上記構成において、第一の時間計測手段９はブロアモーター５が駆動してから乾燥時間をカウントし、カウント終了後にノズル可動モーター６を停止する信号を出すことでノズル可動モーター６を停止すると同時にＬＥＤ１４によって手付着した水滴を除去したことを促すことで、使用中に急にノズル可動モーター６が停止しても使用者に安心して使用していただくことができる。
【００６３】
なお本実施の形態では、表示手段としてのＬＥＤを用いたが、同様の作用効果が得られるものであればこれに限るものではない。
【産業上の利用可能性】
【００６４】
以上のように本発明の手乾燥装置は、高速風を用いて水滴を吹き飛ばして手や衣類などを乾燥させる乾燥装置、及び粉塵などを吹き飛ばすエアーブロー装置としての用途にも適用できる。
【符号の説明】
【００６５】
１      本体
２      手乾燥室
３      ノズル
４      吹出ダクト
５      ブロアモーター
６      ノズル可動モーター
７      赤外線センサー
８      マイコン
９      第一の時間計測手段
１０    第二の時間計測手段
１１    第三の時間計測手段
１２    サーモパイル
１３    サーミスタ
１４    ＬＥＤ
１０１  箱体
１０２  正面
１０３  手挿入部
１０４  吹出ノズル
１０５  高圧空気発生部
１０６  表示部
【図１】
2011200277.tif 000003
【図２】
2011200277.tif 000004
【図３】
2011200277.tif 000005
【図４】
2011200277.tif 000006
【図５】
2011200277.tif 000007
【図６】
2011200277.tif 000008
【図７】
2011200277.tif 000009
【図８】
2011200277.tif 000010
【図９】
2011200277.tif 000011
【図１０】
2011200277.tif 000012
【図１１】
2011200277.tif 000013